(57)【要約】【課題】  検査装置の部品の種類を減らすことにある。【解決手段】  表示用パネルの検査装置は、表示用パネルを検査する検査ステージと表示用パネルを受け渡しする受渡しステージとを有する。第１の移動機構は第１のパネル保持機構及び第２のパネル保持機構を組み付けることができる第１の取り付け部を有する。第２の移動機構は第１のパネル保持機構及び第２のパネル保持機構を組み付けることができる第２の取り付け部を有する。第１の取り付け部と第２の取り付け部とは、形状及び寸法において同一である。【選択図】  図３
2005345406.tif 000002
【特許請求の範囲】
【請求項１】
表示用パネルを検査する検査ステージと前記表示用パネルを受け渡しする受渡しステージとを有する表示用パネル検査装置であって、
検査済み表示用パネルを前記検査ステージから前記受渡しステージへ及び未検査表示用パネルを前記受渡しステージから前記検査ステージへ移送させることができる第１及び第２の搬送装置を含み、
前記第１の搬送装置は、前記表示用パネルを保持する第１のパネル保持機構と、該第１のパネル保持機構を前記検査ステージ又は前記受渡しステージへ選択的に移動させる第１の移動機構とを有し、
前記第２の搬送装置は、前記表示用パネルを保持する第２のパネル保持機構と、該第２のパネル保持機構を前記検査ステージ又は前記受渡しステージへ選択的に移動させる第２の移動機構とを有し、
前記第１の移動機構は前記第１のパネル保持機構及び前記第２のパネル保持機構を組み付けることができる第１の取り付け部を有し、
前記第２の移動機構は前記第１のパネル保持機構及び前記第２のパネル保持機構を組み付けることができる第２の取り付け部を有し、
前記第１の取り付け部と前記第２の取り付け部とは、形状及び寸法において同一である、表示用パネルの検査装置。
【請求項２】
前記第１のパネル保持機構と前記第２のパネル保持機構とは、形状及び寸法において同一である、請求項１に記載の検査装置。
【発明の詳細な説明】
【技術分野】
【０００１】
本発明は、矩形の表示用パネルを検査する装置に関する。
【背景技術】
【０００２】
液晶表示パネルの点灯検査装置のように、表示用パネルを検査する装置の１つとしては、矩形の表示用パネルを検査ステージに受けて、受けた表示用パネルの検査を行うものがある（例えば、特許文献１）。
【０００３】
そのような点灯検査装置は、検査済み表示用パネルを検査ステージから受渡しステージへ及び未検査表示用パネルを受渡しステージから検査ステージへ移送させることができる第１及び第２の搬送装置を有する。
【０００４】
第１及び第２の搬送装置は、ぞれぞれ、表示用パネルを保持するパネル保持機構と移動機構とを有する。
【０００５】
しかし、一方の移動機構は、パネル保持機構の上方に位置し、他方の移動機構は、パネル保持機構の下方に位置しているから、一方及び他方のパネル保持機構の形状は異なる。
【０００６】
したがって、検査装置の使用者は、パネル保持機構が破損したとき、破損したパネル保持機構に対応するパネル保持機構を取り寄せて交換しなければない。そのため、検査装置の製造会社は、一方及び他方のパネル保持機構を在庫として保有する必要があるから、検査装置の販売価格が高くなる。
【０００７】
【特許文献１】特開２００２−１４０４７号公報
【発明の開示】
【発明が解決しようとする課題】
【０００８】
本発明の目的は、検査装置の部品の種類を減らすことにある。
【課題を解決するための手段】
【０００９】
本発明に係る表示用パネル検査装置は、表示用パネルを検査する検査ステージと前記表示用パネルを受け渡しする受渡しステージとを有する。表示用パネル検査装置は、検査済み表示用パネルを前記検査ステージから前記受渡しステージへ及び未検査表示用パネルを前記受渡しステージから前記検査ステージへ移送させることができる第１及び第２の搬送装置を含む。前記第１の搬送装置は、前記表示用パネルを保持する第１のパネル保持機構と、該第１のパネル保持機構を前記検査ステージ又は前記受渡しステージへ選択的に移動させる第１の移動機構とを有する。前記第２の搬送装置は、前記表示用パネルを保持する第２のパネル保持機構と、該第２のパネル保持機構を前記検査ステージ又は前記受渡しステージへ選択的に移動させる第２の移動機構とを有する。前記第１の移動機構は前記第１のパネル保持機構及び前記第２のパネル保持機構を組み付けることができる第１の取り付け部を有する。前記第２の移動機構は前記第１のパネル保持機構及び前記第２のパネル保持機構を組み付けることができる第２の取り付け部を有する。前記第１の取り付け部と前記第２の取り付け部とは、形状及び寸法において同一である。
【００１０】
前記第１のパネル保持機構と前記第２のパネル保持機構とは、形状及び寸法において同一であってもよい。
【発明の効果】
【００１１】
第１の移動機構は第１のパネル保持機構及び第２のパネル保持機構を組み付けることができる第１の取り付け部を有し、第２の移動機構は第１のパネル保持機構及び第２のパネル保持機構を組み付けることができる第２の取り付け部を有するから、検査装置の製造会社は、第１のパネル保持機構と第２のパネル保持機構とに適用することができる共通のパネル保持機構を製造するだけでよく、パネル保持機構の種類を削減することができる。
【００１２】
また、第１の取り付け部と第２の取り付け部とが、形状及び寸法において同一にすれば、第１のパネル保持機構及び第２のパネル保持機構は、共通の取り付け部を形成するだけでよい。これにより、第１のパネル保持機構及び第２のパネル保持機構の加工すべき個所を削減することができる。
【００１３】
また、第１のパネル保持機構と前記第２のパネル保持機構とが、形状及び寸法において同一にすれば、検査装置は、共通のパネル保持機構を適用することができる。
【発明を実施するための最良の形態】
【００１４】
図１から図７を参照するに、検査装置１０は、長方形をした表示用パネル１２の点灯検査装置とされている。図示の例では、表示用パネル１２は、矩形の３つの辺（対向する２つの短辺と１つの長辺）のそれぞれに複数の電極を備えている。各辺に設けられた電極は、その辺の方向（すなわち、辺の長手方向）に間隔をおいており、またその辺と直交する方向へ伸びている。
【００１５】
検査装置１０は、複数の長尺部材と複数の板部材とにより製作された筐体１４内に、点灯検査のための各種の機器を収容している。筐体１４には、Ｘ方向へ伸びる一対の本体ベース１８が斜めの方向に間隔をおいて支持されている。
【００１６】
検査装置１０の前面上部は、上部ほど後方側に後退する傾斜面１６とされている（図２参照）。
【００１７】
図示の例では、検査装置１０に受けられた表示用パネル１２と平行な面内において、図１における左右方向がＸ方向であり、このＸ方向に直角の図１において上下方向がＹ方向である。Ｚ方向は、検査装置１０に受けられた表示用パネル１２に垂直の方向である（図２参照）。
【００１８】
検査装置１０は、検査装置１０に対する表示用パネル１２の受け渡しをするパネルセット部と、表示用パネル１２の検査をする検査部とを含む。一方の本体ベース１８には、表示用パネル１２より大きい矩形の開口２０及び２２がそれぞれパネルセット部及び検査部に対応する箇所に形成されている。
【００１９】
パネルセット部には、表示用パネル１２を斜めに受ける受渡しステージ２４と、受けた表示用パネル１２のプリアライメントをする２組のプッシャー２６とが配置されている。これに対し、検査部には、表示用パネル１２を斜めに受ける検査ステージ２８（図４を参照）と、電気的接続装置として作用するプローブ装置３０とが配置されている。
【００２０】
受渡しステージ２４は、表示用パネル１２を水平に受けるように複数の長尺部材により形成されたパネル受け３２と、受けた表示用パネル１２をＺ方向に移動させるようにパネル受け３２を支持するＺステージ３４と、Ｚステージ３４を支持する回転ステージ３５とを含む。
【００２１】
回転ステージ３５は、Ｘ方向へ伸びる軸線の周りに角度的に回転可能に支持台３７に支持されている。回転ステージ３５を角度的に回転させる駆動機構は、回転ステージ３５に配置してもよいし、支持台３７に配置してもよい。
【００２２】
Ｚステージ３４及びパネル受け３２は、回転ステージ３５の角度的回転により、受けた表示用パネル１２が水平となる位置と、その表示用パネル１２が水平面に対し傾斜する位置とに選択的に変位される。この変位は、後に説明する搬送装置３６への表示用パネル１２の受け渡しのたびに行われる。
【００２３】
受渡しステージ２４は、未検査の表示用パネル１２をパネル受け３２に受けるときと、検査済みの表示用パネル１２をパネル受け３２から除去するときとに、パネル受け３２に受けている表示用パネル１２が水平となる状態に維持される。
【００２４】
これに対し、受渡しステージ２４は、未検査の表示用パネルを搬送装置３６に渡してプッシャー２６によりプリアライメントをするときと、検査済みの表示用パネル１２を搬送装置３６から受けるときとに、パネル受け３２に受けている表示用パネル１２が水平面に対し所定の角度に傾斜した状態に維持される。
【００２５】
Ｘ方向に間隔をおいたプッシャー２６は、Ｘ方向へ伸びる長尺部材に相寄り相離れる方向（Ｘ方向）へ移動可能に配置されて、図示しない移動機構によりＸ方向へ移動される。これに対し、Ｙ方向に間隔をおいたプッシャー２６は、Ｙ方向へ伸びる長尺部材に相寄り相離れる方向（Ｙ方向）へ移動可能に配置されて、図示しない移動機構によりＹ方向へ移動される。
【００２６】
表示用パネル１２は、プッシャー２６が互いに離間されている状態で、それらのプッシャー２６の間に人手又は着脱ロボットにより配置される。配置された表示用パネル１２は、各組のプッシャー２６が相寄る方向へ移動されることにより、受渡しステージ２４に対し移動されて、検査装置１０に対するプリアライメントをされる。
【００２７】
未検査の表示用パネル１２は、水平状態に待機しているパネル受け３２に配置され、受渡しステージ２４においてプッシャー２６によりプリアライメントをされ、回転ステージ３５により水平面に対し所定の角度に傾斜される。その後、その表示用パネル１２は、搬送装置３６（図１参照）により検査ステージ２８に搬送されて、検査部において点灯検査をされる。
【００２８】
点灯検査は、図示の例では作業者の目視による目視点灯検査であるが、図示しないビデオカメラや画像処理装置等を用いる自動点灯検査であってもよい。
【００２９】
検査済みの表示用パネル１２は、搬送装置３６により検査ステージ２８から受渡しステージ２４に搬送され、その後人手又は着脱ロボットにより受渡しステージ２４から外されて、収納用カセットに収納される。
【００３０】
検査ステージ２８は、表示用パネル１２をチャックトップ３８のパネル吸着面に斜め上向きに受けるように、パネル吸着面を開口２２に対向させている。
【００３１】
チャックトップ３８は、表示用パネル１２を真空的に吸着する複数の吸着溝をパネル吸着面に有していると共に、表示用パネル１２をこれの背面から照明するバックライトユニットを内部に備えている。
【００３２】
検査ステージ２８は、斜め上向きに受けた表示用パネル１２を、これと平行のＸ及びＹの２方向と、受けた表示用パネル１２に垂直のＺ方向とに移動させる三次元（Ｘ，Ｙ及びＺ）ステージ４０，４２及び４４を有していると共に、Ｚ方向へ伸びる軸線の周りに角度的に回転させるθステージ４６を備えている。
【００３３】
検査ステージ２８は、Ｚステージ４４によりチャックトップ３８をプローブ装置３０に対し後退（下降）させた状態で、表示用パネル１２を搬送装置３６から受け、Ｘ及びＹステージ４０及び４２により二次元的に移動させると共にθステージ４６により角度的に回転させて受けた表示用パネル１２の精密アライメントをし、表示用パネル１２の検査時にＺステージ４４によりチャックトップ３８をプローブ装置３０に対し前進（上昇）させる。
【００３４】
検査ステージ２８は、また、検査済みの表示用パネル１２を搬送装置３６に渡した後、チャックトップ３８を後退させた状態で待機する。
【００３５】
プローブ装置３０は、仮想的な矩形の辺に個々に対応された４つのベース部材４８と、３つのベース部材４８に個々に配置された３つのプローブユニット５０と、プローブユニット５０の位置合わせのために３つのベース部材４８をこれに対応する辺に沿って（すなわち、辺の長手方向に）個々に移動させる移動機構（図示せず）とを含む。
【００３６】
各ベース部材４８は、これに対応する辺の長手方向に長い板の形状を有しており、また本体ベース１８の裏側に支持されて、一部を開口２２に露出されている。隣り合うベース部材４８は、当接しないように間隔をおいている。
【００３７】
プローブユニット５０は、対向する一対のベース部材４８と、それらのベース部材４８と隣り合う１つのベース部材４８とに配置されている。これに対し、移動機構は、対向する他の一対のベース部材４８と、それらのベース部材４８と隣り合う１つのベース部材４８とに設けられている。
【００３８】
移動機構に連結されていないベース部材４８は、スペーサ（図示せず）と、ボルトのような複数の止め具（図示せず）とにより、本体ベース１８に移動不能に取り付けられて支持されている。
【００３９】
残りの各ベース部材４８は、リニアガイドのようなガイド機構（図示せず）により、対応する辺の長手方向へ移動可能に、本体ベース１８に取り付けられて支持されている。
【００４０】
各プローブユニット５０は、対応するベース部材４８にこれの長手方向へ伸びる状態に取り付けられた長板状のプローブベース５２と、プローブベース５２に配置された複数のプローブブロック５４と、各プローブブロック５４に配置された複数のプローブ５６とを備えている。
【００４１】
プローブベース５２は、ベース部材４８の幅方向における縁部のうち、矩形の中心側（すなわち、先端側）となる縁部の外側に複数のねじ部材（図示せず）により堅固に取り付けられている。
【００４２】
各プローブブロック５４は、プローブベース５２の幅方向における先端側の縁部の外側に複数のねじ部材（図示せず）により堅固に取り付けられている。各プローブ５６は、先端側を前方に突出させた状態にプローブブロック５４の先端部下面に適宜な手段を用いて取り付けられている。
【００４３】
ベース部材４８用の各移動機構は、本体ベース１８に取り付けられたモータとこのモータにより回転されるリードスクリューと、リードスクリューに螺合されたリードナットとを含む一般的な機構を用いることができる。
【００４４】
各プローブ５６は、検査ステージ２８に搬送された表示用パネル１２の検査時に、チャックトップ３８が上昇されることにより表示用パネル１２の電極に押圧される。その状態において、表示用パネル１２にその電極を介して通電される。
【００４５】
搬送装置３６は、Ｘ方向へ移動可能に及びＺ方向に間隔をおいた状態に一対の本体ベース１８に配置された一対のキャリア６２，６４と、キャリア６２，６４をＸ方向へ個々に移動させる一対のキャリア移動機構６６，６８とを備えている。ここで、キャリア６２とキャリア６４とは、形状及び寸法において同一である。
【００４６】
キャリア移動機構６６はベース部６６ｂを含む。ベース部６６ｂはキャリア６２及びキャリア６４を組み付けることができる取り付け部６６ａを有する。キャリア移動機構６８はベース部６８ｂを含む。ベース部６８ｂはキャリア６２及びキャリア６４を組み付けることができる取り付け部６８ａを有する。
【００４７】
キャリア６２は、取り付け部６６ａに例えばボルト６９によって取り外し可能に組み付けられる。キャリア６４は、取り付け部６８ａに例えばボルト６９によって取り外し可能に組み付けられる。
【００４８】
このとき、ボルト６９は、キャリア６２，６４のキャリアベース８０に形成された貫通孔を通って取り付け部６６ａ，６８ａに形成された複数のねじ孔に蝶合している。
【００４９】
取り付け部６６ａと取り付け部６８ａとに形成された複数のねじ孔は、形状及び寸法において同一である。また、Ｘ方向及びＹ方向に伸びる平面において、取り付け部６６ａに形成された複数のねじ孔と取り付け部６８ａに形成された複数のねじ孔との配置関係は、寸法において同一である。
【００５０】
したがって、キャリア６２は、キャリア移動機構６８に組み付けることができる。また、キャリア６４は、キャリア移動機構６６に組み付けることができる。よって、キャリアの種類を削減することができる。
【００５１】
下側の各本体ベース１８には、２つのガイドレール７２，７４が、これらがＺ方向に間隔をおいてＸ方向へ伸びる状態に、取り付けられている。ガイド７６及び７８は、それぞれ、ガイドレール７２及び７４に移動可能に嵌合されている。
【００５２】
上側の各本体ベース１８には、２つのガイドレール７２，７４が、これらがＹ方向に間隔をおいてＸ方向へ伸びる状態に、取り付けられている。ガイド７６及び７８は、それぞれ、ガイドレール７２及び７４に移動可能に嵌合されている。
【００５３】
ベース部６６ｂ及び６８ｂは、それぞれ、キャリア６２及び６４の両端部に取り付けられている。ガイド７６及び７８は、それぞれ、ベース部６６ｂ及び６８ｂに取り付けられている。このため、キャリア６２はガイドレール７２及びガイド７６を介して本体ベース１８に移動可能に支持されており、キャリア６４はガイドレール７４及びガイド７８を介して本体ベース１８に移動可能に支持されている。
【００５４】
キャリア６２及び６４のそれぞれは、Ｙ方向に間隔をおいてＸ方向へ伸びる一対の支持アーム８２を矩形のキャリアベース８０に一対のガイドレール８４及び４つのガイド８６によりＹ方向へ移動可能に配置している。
【００５５】
一対のガイドレール８４，８４は、Ｘ方向に間隔をおいてＹ方向に平行に伸びる状態に、対応する各キャリアベース８０に取り付けられている。４つのガイド８６は、両ガイドレール８４に２つずつＹ方向に間隔をおいてＹ方向へ移動可能に嵌合されている。
【００５６】
各支持アーム８２は、これの両端部にガイド８６を取り付けている。このため、各支持アーム８２は、キャリアベース８０に両端支持梁状に支持されている。
【００５７】
各支持アーム８２には、一対の第１のアーム８８がＸ方向に間隔をおいて組み付けられていると共に、第２のアーム９０が両第１のアーム８８の間に取り付けられている。両第１のアーム８８と第２のアーム９０とは、対応する支持アーム８２から相手側の支持アーム８２に向けて伸びて、対応する支持アーム８２に片持ち梁状に支持されている。
【００５８】
各第１のアーム８８は、ガイドレール９２ａとガイド９２ｂとを含むリニアガイドのような適宜な結合手段９２により、対応する支持アーム８２にＸ方向へ移動可能に組み付けられている。各支持アーム８２に組み付けられた両第１のアーム８８は、相寄り相離れる方向（Ｘ方向）へ移動される。
【００５９】
各第２のアーム９０は、対応する支持アーム８２に移動不能に取り付けられている。各第２のアーム９０の先端側は、第２のアーム９０の基部からＸ方向において互いに反対方向へ伸びる２つの先端部とされている。
【００６０】
各第１のアーム８８は、Ｘホルダ９４を先端部に取り付けている。これに対し、各第２のアーム９０は、Ｙホルダ９６を両先端部にＸ方向に間隔をおい状態に取り付けている。両Ｘホルダ９４及び両Ｙホルダ９６は、それぞれ、表示用パネル１２のＸ方向の両縁部及びＹ方向の１つの縁部に当接することにより、共同してその表示用パネル１２を支持する。
【００６１】
Ｘホルダ９４及びＹホルダ９６は、いずれも、表示用パネル１２を対向するホルダで挟持することにより支持するものであってもよいし、表示用パネル１２を係止片に係止させることにより支持するものであってもよく、さらには表示用パネル１２を受け片に受けることにより支持するものであってもよい。
【００６２】
キャリア移動機構６６，６８の各々は、Ｘ方向へ伸びるボールねじ１００を本体ベース１８に回転可能に支持させ、ボールねじ１００に螺合するナット（図示せず）をキャリアベース８０に取り付けている。ボールねじ１００は、キャリア用モータ１０４により回転される。
【００６３】
キャリア移動機構６６及び６８のキャリア用モータ１０４及び１０４は、互いに逆方向に同期して回転される。これにより、両キャリア６２及び６４は、受渡しステージ２４から検査ステージ２８に又はその逆に個々に移動される。
【００６４】
キャリア移動機構６６及び６８による表示用パネル１２の搬送時、検査済みの表示用パネル１２及び未検査の表示用パネル１２は、所定の傾斜角度に維持された状態で移動される。これにより、表示用パネル１２の撓み量が少なく、検査済みの表示用パネル１２と未検査の表示用パネル１２とがすれ違う際に必要な互いの距離を小さくすることができる。
【００６５】
各アームにおいて、先ず第２のアーム９０及び９０がＹ移動機構１０８及び１０８により同期してＹ方向に移動される。次いで、第１のアーム８８及び８８が、それぞれ、Ｘ移動機構１０６及び１０６により、Ｘ方向に同期して移動される。
【００６６】
各Ｘ移動機構１０６は、電動モータのように逆転可能のＸ駆動源１１０と、Ｘ駆動源１１０により回転される第１のプーリ１１２と、第１のプーリ１１２からＸ方向に間隔をおいた第２のプーリ１１４と、第１及び第２のプーリ１１２及び１１４に掛けられた無端ベルト１１６とを含む。
【００６７】
上側の第１のアーム８８は無端ベルト１１６の上側の箇所に取り付けられており、下側の第１のアーム８８は無端ベルト１１６の下側の箇所に取り付けられている。このため、両第１のアーム８８及び８８は、Ｘ駆動源１１０が一方向に回転されると、相よる方向へ移動され、他方へ回転されると相離れる方向へ移動される。これにより、両第１のアーム８８及び８８は、表示用パネル１２の把持とその解除とを行う。
【００６８】
Ｙ移動機構１０８は、電動モータのように逆転可能のＹ駆動源１２０と、Ｙ駆動源１２０によりＸ方向へ伸びる軸線の周りに回転されるシャフト１２２と、シャフト１２２の両端に相対的回転不能に組み付けられた第１のプーリ１２２ａ，１２２ａと、第１のプーリ１２２ａからＹ方向に間隔をおいた第２のプーリ１２２ｂ，１２２ｂと、第１及び第２のプーリ１２２ａ及び１２２ｂに掛けられた無端ベルト１２２ｃ，１２２ｃとを含む。
【００６９】
ガイドレール７２，７４，８４，９２ａ及びガイド７６，７８，８６，９２ｂとして、リニアガイドを用いることができる。
【００７０】
図示の例では、上側の支持アーム８２は無端ベルト１２２ｃの上側の箇所に取り付けられており、下側の支持アーム８２は無端ベルト１２２ｃの下側の箇所に取り付けられている。このため、両支持アーム８２及び８２は、Ｙ駆動源１２０が一方向に回転されると、相よる方向へ移動され、他方へ回転されると相離れる方向へ移動される。これにより、両支持アーム８２及び８２は、表示用パネル１２の把持とその解除とを行う。
【００７１】
検査装置１０においては、検査ステージ２８においてパネルを検査する間に、キャリア６２（又は６４）による受渡しステージ２４への検査済みパネルの搬送及び配置と、受渡しステージ２４からの検査済みパネルの除去と、受渡しステージ２４への未検査の表示用パネル１２の配置と、その未検査のパネルのプリアライメントと、キャリア６４（又は６２）へのその未検査パネルの配置とが行われる。
【００７２】
検査が終了すると、受渡しステージ２４側の未検査のパネルが一方のキャリア６２（又は６４）に保持され、検査ステージ２８側の検査済みのパネルが他方のキャリア６４（又は６２）に保持され、それらがそれぞれ検査ステージ２８及び受渡しステージ２４に搬送される。
【００７３】
キャリア６２及び６４による未検査及び検査済みパネルの搬送は、それぞれ、キャリア移動機構６６及び６８を互いに逆方向に回転させることにより、行われる。
【００７４】
キャリア６２，６４による表示用パネル１２の把持は、Ｘ駆動源１１０，１１０及びＹ駆動源１２０を一方向に回転させて、Ｘホルダ９４，９４及びＹホルダ９６，９６をこれらが相よる方向へ移動させ、それによりホルダ９４，９４，９６，９６に表示用パネル１２の縁部を支持させることにより行われる。
【００７５】
上記の結果、受渡しステージ２４において、キャリア６２及び６４が未検査のパネルを把持することにより、その未検査のパネルはセンターリングをされて、プリアライメントをされる。
【００７６】
キャリア６２，６４による表示用パネル１２の搬送は、Ｘホルダ９４及びＹホルダ９６をそれぞれＸ方向の各縁部のＹ方向に間隔をおいた複数箇所及びＹ方向の各縁部のＸ方向に間隔をおいた複数箇所に当接させて表示用パネル１２を解除可能に支持した状態で行われる。このため、表示用パネル１２の支持が安定する。
【００７７】
キャリア６２，６４による表示用パネル１２の解放は、Ｘ駆動源１１０，１１０及びＹ駆動源１２０を他方向に回転させて、Ｘホルダ９４，９４及びＹホルダ９６，９６をこれらが離れる方向に移動させることにより行われる。
【００７８】
受渡しステージ２４及び検査ステージ２８は、キャリア６２，６４に対するパネルの受け渡しのたびに、パネル受け３２及びチャックトップをＺ方向に少なくとも一回往復移動させる。
【００７９】
検査装置１０のように、表示用パネル１２を矩形の４つの辺に個々に対応する４つの縁部において支持すると、大型のパネルであっても、Ｘ方向中央領域におけるパネルの湾曲及びＹ方向中央領域におけるパネルの湾曲がＹ方向縁部の支持及びＸ方向縁部の支持により相互に防止される。その結果、大型のパネルを、損傷することなく、安定して搬送可能になる。
【００８０】
図８（Ａ），（Ｂ），（Ｃ），（Ｄ）を参照するに、ホルダ１３０は、Ｌ字状のホルダ片１３２をＬ字状の凹所がパネル支持側となる状態にパネル係止側となる状態に第１のアーム８８又は第２のアーム９０に取り付け、表示用パネル１２の落下を防止する落下防止片１３４をホルダ片１３２の下端に設けられた固定枠１３２ａのパネル係止側に設け、表示用パネル１２に当接する弾性ブロック１３６をホルダ片１３２のＬ字状の凹所にねじのような止め部材１３８によって取り付けている。
【００８１】
落下防止片１３４の厚さ寸法（紙面に垂直の方向における寸法）は、それぞれ、ホルダ片１３２のそれより小さい。弾性ブロック１３６は、ウレタンゴムのようなゴム材で製作されている。図１から図７に示す実施例で用いるホルダ９４，９６は、ホルダ１３０である。
【００８２】
上記のホルダ１３０は、いずれも、表示用パネル１２の縁部を弾性ブロック１３６に当接させて、表示用パネル１２を弾性ブロック１３６に摩擦係合させることにより支持する。しかし、ホルダは、表示用パネル１２を受け片に受けることにより支持するもの等、他のタイプのものを用いてもよい。
【００８３】
搬送装置３６は、検査ステージ２８に対しＸ方向における両側に受渡しステージ２４を配置した検査装置の場合、パネルを一方の受渡しステージと検査ステージとに搬送するキャリアと、他方の受渡しステージと検査ステージとに搬送するキャリアとを備えるようにしてもよい。この場合であっても、両キャリアは、形状及び寸法において同一であるようにする。
【００８４】
図９に示すように、上側の各本体ベース１８には、２つのガイドレール７２，７４が、これらがＺ方向に間隔をおいてＸ方向へ伸びる状態に、取り付けられている。ガイド７６及び７８は、それぞれ、ガイドレール７２及び７４に移動可能に嵌合されている。
【００８５】
キャリア６２の上部を保持するベース部６６ｂとキャリア６４の上部を保持するベース部６８ｂとは、形状及び寸法において同一とされている。したがって、キャリア６２の上部を保持するベース部６６ｂとキャリア６４の上部を保持するベース部６８ｂとは、共通のベース部を適用することができるから、検査装置を安価にすることができる。
【００８６】
本発明は、液晶表示パネルのみならず、それ用のガラス基板、有機ＥＬ等、他の表示用パネルの電気的接続装置にも適用することができる。
【００８７】
本発明は、上記実施例に限定されず、その趣旨を逸脱しない限り、種々変更することができる。
【図面の簡単な説明】
【００８８】
【図１】本発明に係る電気的接続装置を用いた検査装置の一実施例を示す正面図である。
【図２】図１に示す検査装置の右側面図であって一部内部を示した図である。
【図３】図２に示す検査装置の一部拡大図である。
【図４】図１に示す検査装置の左側面図であって一部内部を示した図である。
【図５】図１に示す検査装置の正面図であってキャリア装置を説明するための図である。
【図６】図５における６−６線に沿って得た断面図である。
【図７】図５における７−７線に沿って得た断面図である。
【図８】図１に示す検査装置の搬送装置で用いるホルダの実施例を示す図である。
【図９】図１に示す検査装置の別の実施例の一部拡大図である。
【符号の説明】
【００８９】
１０  検査装置
１２  表示用パネル
１８  本体ベース
２４  受渡しステージ
２８  検査ステージ
３０  プローブ装置
３６  搬送装置
３８  チャックトップ
６０  フレーム
６２，６４  キャリア
６６，６８  キャリア移動機構
６６ａ，６８ａ  取り付け部
６６ｂ，６８ｂ  ベース部
７２，７４，８４，９２ａ  ガイドレール
７６，７８，８６，９２ｂ  ガイド
８０  キャリアベース
８２  支持アーム
８８，９０  第１及び第２のアーム
９８  結合手段
９４  Ｘホルダ
９６  Ｙホルダ
１００  ボールねじ
１０６  Ｘ移動機構
１０８  Ｙ移動機構
１１０  Ｘ駆動源
１１２，１１４  プーリ
１１６  無端ベルト
１２０  Ｙ駆動源
１２２  シャフト
１２４  ナット
１３０，１４０，１５０  ホルダ
【図１】
2005345406.tif 000003
【図２】
2005345406.tif 000004
【図３】
2005345406.tif 000005
【図４】
2005345406.tif 000006
【図５】
2005345406.tif 000007
【図６】
2005345406.tif 000008
【図７】
2005345406.tif 000009
【図８】
2005345406.tif 000010
【図９】
2005345406.tif 000011